(57)【特許請求の範囲】
【請求項１】
コンピュータにより実行される、祭日用売れ筋商品を決定するための方法であって、
前記コンピュータが、複数の商品の中のそれぞれの商品に関して、所定の祭日中における前記商品の売上と、前記祭日が続く所定の期間における売上との比較に基づいて、前記祭日中における前記商品の売れ筋度を計算するステップと、
前記コンピュータが、より高い売れ筋度を有する商品を前記祭日用売れ筋商品として決定するステップとを含み、
前記祭日中における商品の売れ筋度を計算するステップが、次の３つの公式グループＡ〜Ｃ、すなわち、
グループＡ）変動＝祭日売上／基準売上、
ローカリティ＝１日平均祭日売上／１日平均ローカル売上、
前記祭日中における前記商品の前記売れ筋度＝（前記変動＋前記ローカリティ）×調整加重；又は
グループＢ）変動＝祭日売上／基準売上−祭日販売促進／基準販売促進、
ローカリティ＝１日平均祭日売上／１日平均ローカル売上−１日平均祭日販売促進／１日平均ローカル販売促進、及び
前記祭日中における前記商品の前記売れ筋度＝（前記変動＋前記ローカリティ）×調整加重；又は
グループＣ）変動＝ｌｎ（祭日売上／基準売上−祭日販売促進／基準販売促進）、
ローカリティ＝ｌｎ（１日平均祭日売上／１日平均ローカル売上−１日平均祭日販売促進／１日平均ローカル販売促進）、及び
前記祭日中における前記商品の前記売れ筋度＝（前記変動＋前記ローカリティ）×調整加重
のうち、１つの公式グループに従って計算を行うステップを含み、
前記グループＡの公式において、前記祭日売上が、所定の祭日中における前記商品の売上数量を表し、前記基準売上が、前記祭日に先立つ及び前記祭日の後に続く前記祭日と同じ長さの期間における前記商品の売上数量を表し、前記１日平均祭日売上が、前記所定の祭日中における前記商品の１日平均売上を表し、前記１日平均ローカル売上が、前記祭日が続く所定の期間における前記商品の１日平均売上を表し、前記調整加重が、所定の加重を表し、
前記グループＢの公式において、前記祭日売上が、所定の祭日中における前記商品の売上数量を表し、前記基準売上が、前記祭日に先立つ及び前記祭日の後に続く前記祭日と同じ長さの期間における前記商品の売上数量を表し、前記祭日販売促進が、前記所定の祭日中における販売促進価格での前記商品の販売によって生み出された平均販売促進割引額を表し、前記基準販売促進が、前記祭日に先立つ及び前記祭日の後に続く前記祭日と同じ長さの期間における販売促進価格での前記商品の販売によって生み出された平均販売促進割引額を表し、前記１日平均祭日売上が、前記所定の祭日中における前記商品の１日平均売上を表し、前記１日平均ローカル売上が、前記祭日が続く所定の期間における１日平均売上を表し、前記１日平均祭日販売促進が、前記所定の祭日中における販売促進価格での前記商品の販売によって生み出された１日平均販売促進割引額を表し、前記１日平均ローカル販売促進が、前記祭日が存在する所定の期間における販売促進価格での前記商品の販売によって生み出された１日平均販売促進割引額を表し、前記調整加重が、所定の加重を表し、
前記グループＣの公式において、前記祭日売上が、所定の祭日中における前記商品の売上数量を表し、前記基準売上が、前記祭日に先立つ及び前記祭日の後に続く前記祭日と同じ長さにおける前記商品の売上数量を表し、前記祭日販売促進が、前記所定の祭日中における販売促進価格での前記商品の販売によって生み出された平均販売促進割引額を表し、前記基準販売促進が、前記祭日に先立つ及び前記祭日の後に続く前記祭日と同じ長さの期間における販売促進価格での前記商品の販売によって生み出された平均販売促進割引額を表し、前記１日平均祭日売上が、前記所定の祭日中における前記商品の１日平均売上を表し、前記１日平均ローカル売上が、前記祭日が続く所定の期間における１日平均売上を表し、前記１日平均祭日販売促進が、前記所定の祭日中における販売促進価格での前記商品の販売によって生み出された１日平均販売促進割引額を表し、前記１日平均ローカル販売促進が、前記祭日が続く所定の期間における販売促進価格での前記商品の販売によって生み出された１日平均販売促進割引額を表し、ｌｎ（＊）が自然対数を表し、前記調整加重が、所定の加重を表す、前記方法。
【請求項２】
調整加重が、次の公式、すなわち、
前記調整加重＝（祭日売上／ｌｎ祭日販売促進）×通常期間売上ランキングスコア
に従って計算され、
ここで前記通常期間売上ランキングスコアが、すべてのカテゴリのうちで前記商品が属するカテゴリの売上のランキングに基づいて決定された値であり、より低いランキングを有するカテゴリが、より高い通常期間売上ランキングスコアに対応する、請求項１に記載の方法。
【請求項３】
祭日用売れ筋商品を決定するためのデバイスであって、
複数の商品の中のそれぞれの商品に関して、所定の祭日中における前記商品の売上と、前記祭日が続く所定の期間における売上との比較に基づいて、前記祭日中における前記商品の売れ筋度を計算するための商品祭日スコアリングモジュールと、
より高い売れ筋度を有する商品を前記祭日用売れ筋商品として決定するための祭日用売れ筋商品識別モジュールとを含み、
前記商品祭日スコアリングモジュールがさらに、次の３つの公式グループＡ〜Ｃ、すなわち、
グループＡ）変動＝祭日売上／基準売上、
ローカリティ＝１日平均祭日売上／１日平均ローカル売上、及び
祭日中における商品の売れ筋度＝（前記変動＋前記ローカリティ）×調整加重；又は
グループＢ）変動＝祭日売上／基準売上−祭日販売促進／基準販売促進、
ローカリティ＝１日平均祭日売上／１日平均ローカル売上−１日平均祭日販売促進／１日平均ローカル販売促進、及び
祭日中における商品の売れ筋度＝（前記変動＋前記ローカリティ）×調整加重；又は
グループＣ）変動＝ｌｎ（祭日売上／基準売上−祭日販売促進／基準販売促進）、
ローカリティ＝ｌｎ（１日平均祭日売上／１日平均ローカル売上−１日平均祭日販売促進／１日平均ローカル販売促進）、及び
祭日中における商品の売れ筋度＝（前記変動＋前記ローカリティ）×調整加重
のうちの１つに従って計算を行うために使用され、
前記グループＡの公式において、前記祭日売上が、所定の祭日中における前記商品の売上数量を表し、前記基準売上が、前記祭日に先立つ及び前記祭日の後に続く前記祭日と同じ長さの期間における前記商品の売上数量を表し、前記１日平均祭日売上が、前記所定の祭日中における前記商品の１日平均売上を表し、前記１日平均ローカル売上が、前記祭日が続く所定の期間における前記商品の１日平均売上を表し、前記調整加重が、所定の加重を表し、
前記グループＢの公式において、前記祭日売上が、所定の祭日中における前記商品の売上数量を表し、前記基準売上が、前記祭日に先立つ及び前記祭日の後に続く前記祭日と同じ長さの期間における前記商品の売上数量を表し、前記祭日販売促進が、前記所定の祭日中における販売促進価格での前記商品の販売によって生み出された平均販売促進割引額を表し、前記基準販売促進が、前記祭日に先立つ及び前記祭日の後に続く前記祭日と同じ長さの期間における販売促進価格での前記商品の販売によって生み出された平均販売促進割引額を表し、前記１日平均祭日売上が、前記所定の祭日中における前記商品の１日平均売上を表し、前記１日平均ローカル売上が、前記祭日が続く所定の期間における１日平均売上を表し、前記１日平均祭日販売促進が、前記所定の祭日中における販売促進価格での前記商品の販売によって生み出された１日平均販売促進割引額を表し、前記１日平均ローカル販売促進が、前記祭日が続く所定の期間における販売促進価格での前記商品の販売によって生み出された１日平均販売促進割引額を表し、前記調整加重が、所定の加重を表し、
前記グループＣの公式において前記祭日売上が、所定の祭日中における前記商品の売上数量を表し、前記基準売上が、前記祭日に先立つ及び前記祭日の後に続く前記祭日と同じ長さにおける前記商品の売上数量を表し、前記祭日販売促進が、前記所定の祭日中における販売促進価格での前記商品の販売によって生み出された平均販売促進割引額を表し、前記基準販売促進が、前記祭日に先立つ及び前記祭日の後に続く前記祭日と同じ長さの期間における販売促進価格での前記商品の販売によって生み出された平均販売促進割引額を表し、前記１日平均祭日売上が、前記所定の祭日中における前記商品の１日平均売上を表し、前記１日平均ローカル売上が、前記祭日が続く所定の期間における１日平均売上を表し、前記１日平均祭日販売促進が、前記所定の祭日中における販売促進価格での前記商品の販売によって生み出された１日平均販売促進割引額を表し、前記１日平均ローカル販売促進が、前記祭日が続く所定の期間における販売促進価格での前記商品の販売によって生み出された１日平均販売促進割引額を表し、ｌｎ（＊）が自然対数を表し、前記調整加重が、所定の加重を表す、前記デバイス。
【請求項４】
商品祭日スコアリングモジュールがさらに、次の公式、すなわち、
調整加重＝（祭日売上／ｌｎ祭日販売促進）×通常期間売上ランキングスコア
に従って計算を行うために使用され、
ここで前記通常期間売上ランキングスコアが、すべてのカテゴリのうちで前記商品が属するカテゴリの売上のランキングに基づいて決定された値であり、より低いランキングを有するカテゴリが、より高い通常期間売上ランキングスコアに対応する、請求項３に記載のデバイス。
【発明の詳細な説明】
【技術分野】
【０００１】
本発明は、祭日用売れ筋商品を決定するための方法及びデバイスに関する。
【背景技術】
【０００２】
よく知られているように、祝日又は祭日中には消費の集中が生じ、したがって販売業者たちは、一連の祭日マーケティング活動、例えば、ブランドの販売促進、商品の割引、クーポンの発行、及び無料サンプルなどのためにすべてを出し尽くす。マーケティングにおける電子商取引の利点のおかげで、電子商取引における祭日マーケティングは、伝統的な祭日、例えば、春節、中秋節、国慶節などに限定されず、呼び物の祭日、例えば、母の日、父の日、中国のバレンタインデー、独身の日などが、マーケティングにとって不可欠な祭日になっている。
【０００３】
祭日中には、いくつかの商品の売上は、来たる祭日の影響により増大することになるが、その他の商品には、そのような影響がない。したがって、実際には祭日は、別々の商品の売上に別々の影響を及ぼす。祭日マーキングの鍵となる部分は、祭日をテーマにした商品の販売促進であり、これは、電子商取引ウェブサイトを訪問するように消費者を引き付けて、それによって販売業者のブランドの認識を高めること、並びにすべての商品への訪問回数及びすべての商品の購入を増大させることを目的としている。したがって、それは、祭日をテーマにした商品の選択にとってきわめて重要になっている。そのような商品は、祭日をテーマにしているため、通常は祭日中に、より人気がある。販売業者にとっては、どの特定の商品が祭日をテーマにしているかを考えて識別することが必要である。識別された祭日用売れ筋商品は、祭日マーケティングのための候補商品としての役割を果たすことができ、そのような商品の在庫は、事前に増やしておくことが可能である。
【発明の概要】
【発明が解決しようとする課題】
【０００４】
祭日用売れ筋商品を識別するための現在の方法は、主として、販売業者の経験と、参考としてのいくつかの売上データとに依存している。しかしながら、ビジネス分野の拡張と、さまざまなカテゴリの商品における変更及び更新とに伴って、並びに、呼び物の祭日が多数生み出されていることと、その他のいくつかの外部影響要因とに伴って、単に経験と、売上をただ集めて統計的に分析することとを通じて得られる結果は、ますます洗練されたマーケティングを求める販売業者の要求を満たさなくなる。したがって、多数の商品の中から祭日用売れ筋商品をさらに正確に選別するのに適している、祭日用売れ筋商品を識別するための方法が必要とされている。
【課題を解決するための手段】
【０００５】
上記に鑑みて、本発明は、多数の商品から祭日用売れ筋商品をさらに正確に選別することができる、祭日用売れ筋商品を決定するための方法及びデバイスを提供する。
【０００６】
上述の目的を実現するために、一態様によれば、本発明は、祭日用売れ筋商品を決定するための方法を提供する。
【０００７】
祭日用売れ筋商品を決定するための方法は、複数の商品の中のそれぞれの商品に関して、所定の祭日中におけるその商品の売上と、その祭日が続く所定の期間における売上との比較に基づいて、その祭日中におけるその商品の売れ筋度を計算するステップと、より高い売れ筋度を有する商品を祭日用売れ筋商品として決定するステップとを含む。
【０００８】
祭日中における商品の売れ筋度を計算するステップは、次の公式、すなわち、変動＝祭日売上／基準売上、ローカリティ＝１日平均祭日売上／１日平均ローカル売上、及び、祭日中における商品の売れ筋度＝（変動＋ローカリティ）×調整加重に従って計算を行うステップを含んでいてもよく、ここで祭日売上は、所定の祭日中における商品の売上数量を表し、基準売上は、祭日に先立つ及び祭日の後に続く祭日と同じ長さの期間における商品の売上数量を表し、１日平均祭日売上は、所定の祭日中における商品の１日平均売上を表し、１日平均ローカル売上は、祭日が続く所定の期間における商品の１日平均売上を表し、調整加重は、所定の加重を表す。
【０００９】
祭日中における商品の売れ筋度を計算するステップは、次の公式、すなわち、変動＝祭日売上／基準売上−祭日販売促進／基準販売促進、ローカリティ＝１日平均祭日売上／１日平均ローカル売上−１日平均祭日販売促進／１日平均ローカル販売促進、及び、祭日中における商品の売れ筋度＝（変動＋ローカリティ）×調整加重に従って計算を行うステップを含んでいてもよく、ここで祭日売上は、所定の祭日中における商品の売上数量を表し、基準売上は、祭日に先立つ及び祭日の後に続く祭日と同じ長さの期間における商品の売上数量を表し、祭日販売促進は、所定の祭日中における販売促進価格での商品の販売によって生み出された平均販売促進割引額を表し、基準販売促進は、祭日に先立つ及び祭日の後に続く祭日と同じ長さの期間における販売促進価格での商品の販売によって生み出された平均販売促進割引額を表し、１日平均祭日売上は、所定の祭日中における商品の１日平均売上を表し、１日平均ローカル売上は、祭日が続く所定の期間における１日平均売上を表し、１日平均祭日販売促進は、所定の祭日中における販売促進価格での商品の販売によって生み出された１日平均販売促進割引額を表し、１日平均ローカル販売促進は、祭日が続く所定の期間における販売促進価格での商品の販売によって生み出された１日平均販売促進割引額を表し、調整加重は、所定の加重を表す。
【００１０】
祭日中における商品の売れ筋度を計算するステップは、次の公式、すなわち、変動＝ｌｎ（祭日売上／基準売上−祭日販売促進／基準販売促進）、ローカリティ＝ｌｎ（１日平均祭日売上／１日平均ローカル売上−１日平均祭日販売促進／１日平均ローカル販売促進）、及び、祭日中における商品の売れ筋度＝（変動＋ローカリティ）×調整加重に従って計算を行うステップを含んでいてもよく、ここで祭日売上は、所定の祭日中における商品の売上数量を表し、基準売上は、祭日に先立つ及び祭日の後に続く祭日と同じ長さにおける商品の売上数量を表し、祭日販売促進は、所定の祭日中における販売促進価格での商品の販売によって生み出された平均販売促進割引額を表し、基準販売促進は、祭日に先立つ及び祭日の後に続く祭日と同じ長さの期間における販売促進価格での商品の販売によって生み出された平均販売促進割引額を表し、１日平均祭日売上は、所定の祭日中における商品の１日平均売上を表し、１日平均ローカル売上は、祭日が続く所定の期間における１日平均売上を表し、１日平均祭日販売促進は、所定の祭日中における販売促進価格での商品の販売によって生み出された１日平均販売促進割引額を表し、１日平均ローカル販売促進は、祭日が続く所定の期間における販売促進価格での商品の販売によって生み出された１日平均販売促進割引額を表し、ｌｎ（＊）は自然対数を表し、調整加重は、所定の加重を表す。
【００１１】
調整加重は、次の公式、すなわち、調整加重＝（祭日売上／ｌｎ祭日販売促進）×通常期間売上ランキングスコアに従って計算されてもよく、ここで通常期間売上ランキングスコアは、すべてのカテゴリのうちでその商品が属するカテゴリの売上のランキングに基づいて決定された値であり、より低いランキングを有するカテゴリが、より高い通常期間売上ランキングスコアに対応する。
【００１２】
本発明の別の態様によれば、祭日用売れ筋商品を決定するためのデバイスが提供される。
【００１３】
本発明による、祭日用売れ筋商品を決定するためのデバイスは、複数の商品の中のそれぞれの商品に関して、所定の祭日中におけるその商品の売上と、その祭日が続く所定の期間における売上との比較に基づいて、その祭日中におけるその商品の売れ筋度を計算するための商品祭日スコアリングモジュールと、より高い売れ筋度を有する商品を祭日用売れ筋商品として決定するための祭日用売れ筋商品識別モジュールとを含む。
【００１４】
商品祭日スコアリングモジュールはさらに、次の公式、すなわち、変動＝祭日売上／基準売上、ローカリティ＝１日平均祭日売上／１日平均ローカル売上、及び、祭日中における商品の売れ筋度＝（変動＋ローカリティ）×調整加重に従って計算を行うために使用されてもよく、ここで祭日売上は、所定の祭日中における商品の売上数量を表し、基準売上は、祭日に先立つ及び祭日の後に続く祭日と同じ長さの期間における商品の売上数量を表し、１日平均祭日売上は、所定の祭日中における商品の１日平均売上を表し、１日平均ローカル売上は、祭日が続く所定の期間における商品の１日平均売上を表し、調整加重は、所定の加重を表す。
【００１５】
商品祭日スコアリングモジュールはさらに、次の公式、すなわち、変動＝祭日売上／基準売上−祭日販売促進／基準販売促進、ローカリティ＝１日平均祭日売上／１日平均ローカル売上−１日平均祭日販売促進／１日平均ローカル販売促進、及び、祭日中における商品の売れ筋度＝（変動＋ローカリティ）×調整加重に従って計算を行うためのものであってもよく、ここで祭日売上は、所定の祭日中における商品の売上数量を表し、基準売上は、祭日に先立つ及び祭日の後に続く祭日と同じ長さの期間における商品の売上数量を表し、祭日販売促進は、所定の祭日中における販売促進価格での商品の販売によって生み出された平均販売促進割引額を表し、基準販売促進は、祭日に先立つ及び祭日の後に続く祭日と同じ長さの期間における販売促進価格での商品の販売によって生み出された平均販売促進割引額を表し、１日平均祭日売上は、所定の祭日中における商品の１日平均売上を表し、１日平均ローカル売上は、祭日が続く所定の期間における１日平均売上を表し、１日平均祭日販売促進は、所定の祭日中における販売促進価格での商品の販売によって生み出された１日平均販売促進割引額を表し、１日平均ローカル販売促進は、祭日が続く所定の期間における販売促進価格での商品の販売によって生み出された１日平均販売促進割引額を表し、調整加重は、所定の加重を表す。
【００１６】
商品祭日スコアリングモジュールはさらに、次の公式、すなわち、変動＝ｌｎ（祭日売上／基準売上−祭日販売促進／基準販売促進）、ローカリティ＝ｌｎ（１日平均祭日売上／１日平均ローカル売上−１日平均祭日販売促進／１日平均ローカル販売促進）、及び、祭日中における商品の売れ筋度＝（変動＋ローカリティ）×調整加重に従って計算を行うために使用されてもよく、ここで祭日売上は、所定の祭日中における商品の売上数量を表し、基準売上は、祭日に先立つ及び祭日の後に続く祭日と同じ長さにおける商品の売上数量を表し、祭日販売促進は、所定の祭日中における販売促進価格での商品の販売によって生み出された平均販売促進割引額を表し、基準販売促進は、祭日に先立つ及び祭日の後に続く祭日と同じ長さの期間における販売促進価格での商品の販売によって生み出された平均販売促進割引額を表し、１日平均祭日売上は、所定の祭日中における商品の１日平均売上を表し、１日平均ローカル売上は、祭日が続く所定の期間における１日平均売上を表し、１日平均祭日販売促進は、所定の祭日中における販売促進価格での商品の販売によって生み出された１日平均販売促進割引額を表し、１日平均ローカル販売促進は、祭日が続く所定の期間における販売促進価格での商品の販売によって生み出された１日平均販売促進割引額を表し、ｌｎ（＊）は自然対数を表し、調整加重は、所定の加重を表す。
【００１７】
商品祭日スコアリングモジュールはさらに、次の公式、すなわち、調整加重＝（祭日売上／ｌｎ祭日販売促進）×通常期間売上ランキングスコアに従って計算を行うために使用されてもよく、ここで通常期間売上ランキングスコアは、すべてのカテゴリのうちでその商品が属するカテゴリの売上のランキングに基づいて決定された値であり、より低いランキングを有するカテゴリは、より高い通常期間売上ランキングスコアに対応する。
【００１８】
本発明の技術的な解決策によれば、祭日中の売上を祭日中以外の売上と比較すること、及び売上に対する販売促進の影響を考慮に入れることによって、祭日用売れ筋商品が決定される。これは、商品の売上に対する祭日の影響を客観的に反映する上で、及び販売業者によって祭日用売れ筋商品を決定する上で役立つ。
【図面の簡単な説明】
【００１９】
図面は、本発明をよりよく理解するために使用され、本発明の不適切な限定を構成するものではない。
【図１】本発明の一実施形態による、祭日用売れ筋商品を決定するための方法の基本的なステップの概略図である。
【図２】本発明の一実施形態による、祭日用売れ筋商品を決定するためのデバイスの概略図である。
【図３】本発明の一実施形態による、祭日用売れ筋商品を決定するための方法の特定のフローの概略図である。
【発明を実施するための形態】
【００２０】
本発明の例示的な実施形態が、以降で図面を参照しながら示されており、以降では、理解を容易にするために、本発明の実施形態のさまざまな詳細が含まれている。それらの実施形態は、単なる例示とみなされるべきである。したがって、本明細書において示されている実施形態に対してさまざまな変更及び修正を行うことができ、その結果は本発明の範囲及び趣旨から逸脱しないことを当業者なら理解するはずである。同様に、明確さ及び簡潔さのために、本明細書においては、一般に知られている機能及び構造を示すことは省略されている。
【００２１】
図１は、本発明の一実施形態による、祭日用売れ筋商品を決定するための方法の基本的なステップの概略図である。図１において示されているように、祭日用売れ筋商品を決定するための方法は、主としてステップＳ１１及びＳ１２を含む。
【００２２】
ステップＳ１１：複数の商品の中のそれぞれの商品に関して、所定の祭日中におけるその商品の売上と、その祭日が続く所定の期間における売上との比較に基づいて、その祭日中におけるその商品の売れ筋度を計算するステップ。
【００２３】
ステップＳ１２：より高い売れ筋度を有する商品を祭日用売れ筋商品として決定するステップ。
【００２４】
ステップＳ１１においては、特に次の公式、すなわち、
変動＝祭日売上／基準売上、
ローカリティ＝１日平均祭日売上／１日平均ローカル売上、及び
祭日中における商品の売れ筋度＝（変動＋ローカリティ）×調整加重
に従って計算を実行することができ、ここで、祭日売上は、所定の祭日中における商品の売上数量を表し、基準売上は、祭日に先立つ及び祭日の後に続く祭日と同じ長さの期間における商品の売上数量を表し、１日平均祭日売上は、所定の祭日中における商品の１日平均売上を表し、１日平均ローカル売上は、祭日が続く所定の期間における商品の１日平均売上を表し、調整加重は、所定の加重を表す。
【００２５】
祭日中における商品の売上の増大は、一方では祭日そのものの影響から生じる場合がある。他方、販売促進が実行されるケース、すなわち、販売促進価格（通常は、販売促進時以外の価格よりも安い）での商品の販売においては、商品の売上が増大する可能性があるだろう。したがって、販売促進が存在する場合には、商品の売上に対する祭日の影響を実際に反映するために、別法として、上述の変動及びローカリティを次の公式、すなわち、
変動＝祭日売上／基準売上−祭日販売促進／基準販売促進、
ローカリティ＝１日平均祭日売上／１日平均ローカル売上−１日平均祭日販売促進／１日平均ローカル販売促進
に従って計算することができ、ここで、祭日販売促進は、所定の祭日中における販売促進価格での商品の販売によって生み出された平均販売促進割引額を表し、基準販売促進は、所定の祭日期間に先立つ及び所定の祭日期間の後に続く祭日期間と同じ長さの期間における販売促進価格での商品の販売によって生み出された平均販売促進割引額を表し、１日平均祭日販売促進は、所定の祭日中における販売促進価格での商品の販売によって生み出された１日平均販売促進割引額を表し、１日平均ローカル販売促進は、祭日が続く所定の期間における販売促進価格での商品の販売によって生み出された１日平均販売促進割引額を表す。
【００２６】
上述の計算は、下記の自然対数（ｌｎ（＊）によって表される）を使用することができる。
変動＝ｌｎ（祭日売上／基準売上−祭日販売促進／基準販売促進）、
ローカリティ＝ｌｎ（１日平均祭日売上／１日平均ローカル売上−１日平均祭日販売促進／１日平均ローカル販売促進）
【００２７】
この実施形態における祭日用売れ筋商品を決定するためのデバイスはさらに、祭日のさまざまな特徴、販売促進の影響等などの要因を考慮に入れ、したがって識別された商品は、祭日の強力な特徴を有することになる。具体的には、図２（本発明の一実施形態による、祭日用売れ筋商品を決定するためのデバイスの概略図が提示されている）において示されているように、祭日用売れ筋商品を決定するためのデバイス２０は、商品祭日スコアリングモジュール２０１、及び祭日用売れ筋商品識別モジュール２０２を含む。図２は、販売業者システム２１、及び祭日関連データベース２２も示している。
【００２８】
商品祭日スコアリングモジュール２０１は、複数の商品の中のそれぞれの商品に関して、所定の祭日中におけるその商品の売上と、その祭日が続く所定の期間における売上との比較に従って、その祭日中におけるその商品の売れ筋度を計算するために使用される。この計算は、上述のようにさまざまなモードで実行することができる。売上、さまざまな祭日の影響のある期間の長さ、販売促進の影響等などの要因を総合的に考慮して、祭日スコアリングインデックスの計算は、さまざまな祭日中における商品のさまざまなスコアを得る。その上、相対的な量の値のみが計算され、絶対的な量の影響が除去される。したがって、別々の祭日における同じ商品のスコアどうしを互いに比較することができ、それによって、商品に著しい影響を及ぼす祭日を反映することができる。商品祭日スコアリングモジュールに基づいて、絶対的な量の影響、及び日々の売上加重をさらに考慮に入れて、それによって商品の祭日相対スコアを計算することができる。祭日用売れ筋商品識別モジュール２０２は、より高い売れ筋度を有する商品を祭日用売れ筋商品として決定するために使用される。
【００２９】
図３は、本発明の一実施形態による、祭日用売れ筋商品を決定するための方法の特定のフローの概略図である。
【００３０】
ステップ１：祭日関連データを定量化して取得するステップ。祭日関連データを定量化して取得し、それには、祭日データ、商品データ、及び販売促進データが含まれる。祭日データは、年間を通じたさまざまな祭日の特定の時期、祭日が公の祝日に関連しているかどうか、その祝日の長さ、その祭日の（１又は２以上の）日付が固定されているかどうか、及びその祭日が中国の伝統的な祭日であるかどうかに関するデータを示す。商品データは、主として、商品名、商品のカテゴリ、売上数量、企業購入からの売上数量、及びグループ購入からの売上である。販売促進活動中における商品の露出に関するデータ、及び販売促進中に商品を購入する際に顧客が享受する販売促進割引に関するデータとして、販売促進を定量化する。
【００３１】
ステップ２：祭日の分類。別々の祭日は、商品の販売に対して別々の影響を及ぼすため、祭日をそれらの分類に従って処理する。例えば、春節によって生み出される消費に対する影響の作用時間は、祭日が実際に始まる前に比較的長い時間にわたって続き、そしてそれとは逆に、祭日期間中には低減することになる。しかしバレンタインデー及び母の日に関しては、消費に作用する影響は、数日間程度の短期間しか続かないが、実際の祭日の当日の売上は増大する。類似した特徴を有する祭日どうしを１つの分類へと分類することによって、年間を通じた祭日どうしを属性データに従って分類し、以降のステップにおいて計算を行うために、それぞれの分類の祭日に関して、影響のある時間の長さを定義する。
【００３２】
ステップ３：売上データを刈り込むステップ。祭日用売れ筋商品の誤った判断を避ける目的で、企業購入又はグループ購入などの集団購入によって生じた売上における変化を除去するために、売上データを刈り込む。
【００３３】
ステップ４：商品に関する祭日スコアデータインデックスを計算するステップ。このインデックスを計算するためのデータは、３つの態様において、商品売上データ、販売促進割引データ、及び販売促進露出データを含む。集まりの次元は、祭日期間データ、基準期間データ、及びローカル期間データである。さまざまな分類の祭日に関して、祭日の特徴を得るステップからの結果に従って、祭日そのものによって定義されている時間的長さの間におけるデータが、それぞれ選択されて集められ、祭日期間データとなる。基準期間データとは、祭日に先立つ及び祭日の後に続く祭日期間と同じ時間的長さの期間中におけるデータの集まりである。ローカル期間データとは、祭日を範囲内に含む季節的な四半期におけるデータの集まりである。最後に、それぞれの祭日に関して、別々の段階における、すなわち、その祭日に先立つ、その祭日の後に続く、及びその祭日中における合計及び１日平均の統計結果があるべきである。
【００３４】
ステップ５：商品祭日スコアを得るステップ。商品祭日スコアは、主として２つのスコア、すなわち、変動スコア及びローカリティスコアから構成される。別々の祭日に関する計算は、別々に実行され、変動は、主として、通常期間中における商品の売上と比較した場合の祭日中における商品の売上における変化の変動度を反映し、ローカリティは、商品の販売期間における祭日期間の重要度を反映する。商品の売上に対する販売促進の影響を弱めるために、及び商品に対する祭日の影響を際立たせるために、変動及びローカリティのインデックスを計算する際には売上データのほかに販売促進データを考慮に入れることが必要である。量の次元の影響を除去するために、相対比データの対数計算を使用する。具体的な公式は、下記のとおりである。
変動＝ｌｎ（祭日売上／基準売上−祭日販売促進／基準販売促進）、
ローカリティ＝ｌｎ（１日平均祭日売上／１日平均ローカル売上−１日平均祭日販売促進／１日平均ローカル販売促進）、
商品祭日スコア＝変動＋ローカリティ。
【００３５】
商品祭日スコアは、相対的な量の値を考慮に入れるだけであり、それによって絶対的な量の影響が除去される。したがって、同じ商品の別々の祭日スコアを互いに比較することができ、それによって、同じ商品に著しい影響を及ぼす祭日を識別することができる。
【００３６】
ステップ６：商品祭日スコアをフィルタリングするステップ。商品祭日スコアの計算は、主として、販売促進の影響を弱めること、及び商品が祭日用の売れ筋の特徴を有しているかどうかを反映することを目的としている。商品祭日スコアが高ければ高いほど、その商品の祭日中における人気は高くなり、それは、その商品がその祭日中におけるマストバイ商品に属していることを示している。このフィルタリングステップは、祭日スコアにおける変動又はローカリティの値が０未満である祭日を除外することによって、祭日効果の弱い商品を除外する。
【００３７】
ステップ７：調整加重を決定するステップ。調整加重は、祭日中における売上、販売促進、及び通常期間における商品の売上を考慮に入れて、祭日中における商品の絶対的な量を反映する。販売促進を弱めること、及び通常期間におけるより低いランキングを有する商品を際立たせることを基礎として、売上の絶対的な量の影響を考慮に入れ、通常期間における売上のランキングを、すべてのカテゴリのうちでその商品が属するカテゴリの売上の点から降順で５つの（１〜５の）分類へと分類し、それぞれの分類は、売上の２０％をカバーし、ランキングスコアは、実際に商品の分類のランキングである。通常期間において売上がわずかな商品を際立たせるために、売上が高ければ高いほど、ランキングは低くなる。具体的な公式は、下記のとおりである。
調整加重＝（祭日売上／ｌｎ祭日販売促進）×通常期間の売上ランキングスコア。
【００３８】
ステップ８：商品の祭日相対スコアを決定するステップ。同じ祭日中に商品どうしを互いに比較するために、及び商品祭日スコアに基づいて調整を行うために、商品の祭日相対スコアを使用する。
相対商品祭日スコア＝商品祭日スコア×調整加重。
【００３９】
ステップ９：祭日用売れ筋商品を選別するステップ。商品を、商品祭日相対スコアの結果に基づいて降順に並べて、より高いランキングを有する商品を祭日用売れ筋商品として選別する。別々の祭日中における売れ筋商品を識別するために、別々の祭日に関してそれぞれ計算を実行する。
【００４０】
上で示したことから理解できるように、本発明の実施形態の技術的な解決策から、下記の有益な効果を実現することができる。
【００４１】
１．祭日用売れ筋商品を識別するためのデバイスは、単なる売上数量以上の影響要因を考慮に入れ、売上に対する販売促進の影響をある程度弱めて、別々の祭日の効果を際立たせる。したがって、そのようにして選別される商品の種類は一般に、祭日中における必需品に属し、これは、販売業者たちが、ユーザの訪問を引き付けるために、並びにブランドの認識及び祭日関連ではないその他の商品の露出及び販売機会を促進するために、並びに不必要な販売促進コストを節減するために、自分たちのマーケティング戦略、例えば、一括販売、広告の提示、販売促進キャンペーンなどを策定する上で役立つ。
【００４２】
２．祭日用売れ筋商品をより正確に識別することによって、祭日中における売上の突然の増大を説明することができる。そのような突然の増大を識別することは、一般的な売上トレンドを予想して制御する上で役立つ。
【００４３】
３．商品祭日スコアの計算は、別々の祭日の別々の長さの影響のある時間及びそれらの販売トレンドの影響を除去し、同じ商品に対する別々の祭日効果の比較、及び同じ祭日の別々の年における祭日効果の比較を可能にする。商品に関する年間を通じた又は四半期の販売促進戦略を策定することは、祭日効果の影響を最大化する上で役立つ。
【００４４】
本発明の基本的な原理が、特定の実施形態を参照しながら上述されている。しかしながら、本発明による方法及びデバイスのありとあらゆるステップ又はコンポーネントは、任意のコンピューティングデバイス（プロセッサ、ストレージメディアなどを含む）又はコンピューティングデバイスのネットワークにおいてハードウェア、ファームウェア、ソフトウェア、又はそれらの組合せとともに実装することができることを標準的な当業者なら理解することが可能であることに留意されたい。これは、標準的な当業者が本発明の説明を検討すれば、自分の基本的なプログラミングスキルを用いて実行することができる。
【００４５】
したがって本発明の目的は、別法として、プログラム又はプログラムのセットを任意のコンピューティングデバイス上で実行することによって実施することもできる。そのコンピューティングデバイスは、よく知られている一般的なデバイスであることが可能である。したがって本発明の目的は、別法として、この方法又はデバイスを実施するためのプログラムコードを含むプログラム製品のみによって実施することもできる。すなわち、そのようなプログラム製品も本発明を構成し、そのようなプログラム製品が格納されているストレージメディアも本発明を構成する。当然ながら、それらのストレージメディアは、任意の既知のストレージメディア、又は今後開発されることになる任意のストレージメディアであることが可能である。
【００４６】
さらに、本発明のデバイス及び方法においては、当然ながらそれぞれのコンポーネント及びそれぞれのステップを分解及び／又は再結合することができることに留意されたい。それらの分解及び／又は再結合は、本発明の均等な解決策であるとみなされるものとする。その上、上述の一連の処理のステップは、示されているシーケンスに自然に準拠する時間的なシーケンスに従って実行することができるが、その時間的なシーケンスに従うことは必須ではない。いくつかのステップは、並列に、又は互いに独立して実行することができる。
【００４７】
上述の特定の実施形態は、本発明の保護範囲の限定を構成するものではない。設計要件及びその他の要因に応じて、さまざまな修正、組合せ、サブコンビネーション、及び代用が許容可能であることを当業者なら理解するであろう。本発明の趣旨及び原理内のあらゆる修正、均等な代用、改良などは、本発明の保護範囲内に含まれるものとする。
【図１】
0006027679.tif 000002
【図２】
0006027679.tif 000003
【図３】
0006027679.tif 000004